(57)【特許請求の範囲】
【請求項１】
撮影レンズを通して撮像装置により被写体像を撮像し、撮像した被写体像に対して所定の画像処理を施して着脱可能な記録媒体に記録する電子カメラにおいて、
前記画像処理後の画像データを画像ファイルとして前記記録媒体に前記画像データの記録用に設けられた所定のディレクトリへ記録する記録回路と、
前記記録回路により前記記録媒体の前記所定のディレクトリに記録されている前記画像データのみから、当該画像データの撮像条件に関する情報を、前記画像データ単位で確認可能な形式のファイルであって、前記画像ファイルと異なる１つの管理データファイルとして、前記記録回路により前記画像データが前記記録媒体に１コマ記録されるごと、もしくは複数コマ記録されるごとに前記記録媒体の前記画像データが記録されているディレクトリと同一の前記所定のディレクトリに記録するように前記記録回路を制御する制御手段とを備えることを特徴とする電子カメラ。
【請求項２】
請求項１に記載の電子カメラにおいて、
前記制御手段は、前記記録回路により前記画像データが前記記録媒体の前記所定のディレクトリに対して追加もしくは削除されるごとに、前記管理データの記録内容を更新することを特徴とする電子カメラ。
【請求項３】
請求項１に記載の電子カメラにおいて、
前記管理データとして記録される情報は、前記画像データ内に記録されている内容を含むことを特徴とする電子カメラ。
【請求項４】
請求項１に記載の電子カメラにおいて、
前記管理データファイルは、テキスト形式のファイルであることを特徴とする電子カメラ。
【発明の詳細な説明】
【０００１】
【発明の属する技術分野】
本発明は、ＣＣＤなどの撮像装置で被写体を撮像する電子カメラに関する。
【０００２】
【従来の技術】
撮影レンズを通過する被写体像を撮像する撮像装置と、撮像装置から出力される画像信号に対してホワイトバランスやγ補正などの所定の画像処理を施す画像処理回路と、画像処理後の画像データを表示するモニタと、画像処理後のデータをＪＰＥＧなどの所定の方式で圧縮してフラッシュメモリなどの記録媒体に記録する圧縮回路とを備える電子カメラが知られている。
【０００３】
【発明が解決しようとする課題】
このような電子カメラで記録媒体に記録された画像データから撮影情報を読み出すとき、記録媒体から１つ１つの画像データを読み出した上で各々の画像データに含まれている画像情報を取り出さなければならなかった。したがって、記録媒体に多くの画像データが記録されている場合には、全ての画像データの撮影情報を一括して管理するのに時間と手間がかかっていた。従来例として、画像データと別に複数の画像データの撮影情報を記録したデータを設け、電源オフ時に撮影情報を記録したデータを記録媒体に記録するものがあったが、電源オフ前に記録媒体が電子カメラから取り出されると撮影情報のデータが記録媒体に記録されないという問題があった。
【０００４】
本発明の目的は、撮影された画像データが記録媒体に記録されるごとに撮影情報を記録した管理データを記録媒体に記録するようにした電子カメラを提供することにある。
【０００５】
【課題を解決するための手段】
本発明は、撮影レンズを通して撮像装置により被写体像を撮像し、撮像した被写体像に対して所定の画像処理を施して着脱可能な記録媒体に記録する電子カメラに適用される。そして、画像処理後の画像データを画像ファイルとして記録媒体に画像データの記録用に設けられた所定のディレクトリへ記録する記録回路と、記録回路により記録媒体の所定のディレクトリに記録されている画像データのみから、当該画像データの撮像条件に関する情報を、画像データ単位で確認可能な形式のファイルであって、画像ファイルと異なる１つの管理データファイルとして、記録回路により画像データが記録媒体に１コマ記録されるごと、もしくは複数コマ記録されるごとに記録媒体の画像データが記録されているディレクトリと同一の所定のディレクトリに記録するように記録回路を制御する制御手段とを備えることを特徴とする。
【０００６】
なお、本発明の構成を説明する上記課題を解決するための手段の項では、本発明を分かり易くするために実施の形態の図を用いたが、これにより本発明が実施の形態に限定されるものではない。
【０００７】
【発明の実施の形態】
以下、図面を参照して本発明の実施の形態を説明する。図１は、本発明の一実施の形態による電子スチルカメラの収納時、および携帯時の外観を示し、(a)が上から見た図、(b)が後ろから見た図である。また、図２は図１に示したカメラの通常撮影時の外観を示し、(a)が前から見た図、(b)が上から見た図、(c)が後ろから見た図である。この実施の形態による電子スチルカメラ１は、可動レンズ２を含むレンズユニット１aと表示ＬＣＤ３を含むモニターユニット１bとに分割され、両ユニット１a、１bが相対的に回転可能に連結されている。
【０００８】
収納時または携帯時には、図１に示すように、レンズユニット１aとモニターユニット１bとがフラットになるようにレンズユニット１aを回転する。また、通常撮影時には、図２に示すように、撮影ズームレンズ２が被写体方向を向くようにレンズユニット１aを回転する。このとき、モニターユニット１bは表示ＬＣＤ３が撮影者の方向を向くように保持されるので、撮影者は表示ＬＣＤ３を見ながら撮影を行うことができる。
【０００９】
レンズユニット１aは、撮影ズームレンズ２の他に電子閃光装置４、ファインダー窓５、赤目軽減・セルフタイマー表示ランプ６、ファインダー接眼窓７などを備えている。一方、モニターユニット１bは、表示ＬＣＤ３の他にメインスイッチ８、レリーズボタン９、表示パネル１０、撮影距離ボタン１１、閃光モードボタン１２、画質ボタン１３、モニターボタン１４、メニューボタン１５、ズーム操作スイッチ１６、選択ダイヤル１７、ＡＦ領域選択ボタン１９a〜１９dなどを備えている。
【００１０】
−記録モード−
電子スチルカメラ１は、被写体像を撮像して画像データを記録する記録モードと、記録された画像データを読出して再生する再生モードの２つの動作モードを有する。メインスイッチ８の切換え操作により、記録モード(REC)と再生モード(PLAY)とが選択される。メインスイッチ８は、PLAY、オフ、RECの少なくとも３つの位置に切換えられる。記録モードは撮像した被写体像を画像データとして記録する動作モードであり、再生モードは記録した画像データを読み出して表示ＬＣＤ３に表示する動作モードである。本実施の形態の説明は、記録モードを中心に行う。
【００１１】
図３は、第一の実施の形態による電子スチルカメラ１の回路を示すブロック図である。メインスイッチ８が記録モード:RECに切換え操作されると、電子スチルカメラ１は電源オンするとともに記録モードに切換えられる。ＣＰＵ２１が所定の制御プログラムを起動させると、撮影ズームレンズ２(図２)に入射する被写体光が撮像装置であるＣＣＤ２６上で結像され、画像信号がアナログ処理回路２７を経てＡ／Ｄ変換回路２８へ送られてデジタル信号に変換される。デジタル変換された信号は、たとえば、ＡＳＩＣとして構成される画像処理ＣＰＵ２９に導かれ、輪郭補償、ガンマ補正等の画像前処理が行われて一旦バッファメモリ３０に格納される。
【００１２】
バッファメモリ３０に一旦記憶された画像データは、画像処理ＣＰＵ２９に制御される表示画像作成回路３１により表示用の画像データに処理される。表示画像作成回路３１は、バッファメモリ３０に格納されている画像前処理後の画像データを読み出し、ＬＣＤモニター３の表示解像度に応じて間引き処理などを行うことにより表示用画像を作成する。表示画像作成回路３１で作成された表示画像データが、スルー画像と呼ばれる撮影モニタ画像として表示ＬＣＤ３に表示される。スルー画像は、以上の動作が繰り返し行われることにより、撮影ズームレンズ２に入射される被写体光に基づいて所定の間隔で逐次更新される。
【００１３】
ＣＰＵ２１には、レリーズボタン９に連動する半押しスイッチ２２と全押しスイッチ２３（以下、レリーズスイッチ２３と呼ぶ）から半押し信号と全押し信号がそれぞれ入力される。半押しスイッチ２２が操作されて半押し信号が入力されると、ＣＰＵ２１からの指令により焦点検出／調整装置３６が後述する焦点検出領域において、撮影ズームレンズ２の焦点調節状態を検出する。そして、撮影ズームレンズ２に入射する被写体光が撮像装置であるＣＣＤ２６上で結像するように撮影ズームレンズ２を合焦位置へ駆動する。また、タイミングジェネレータ２４とドライバ２５を介してＣＣＤ２６が駆動制御され、タイミングジェネレータ２４によりアナログ処理回路２７とＡ／Ｄ変換回路２８の動作タイミングが制御される。
【００１４】
なお、電子スチルカメラ１には「シングルＡＦモード」と「コンティニュアスＡＦモード」の２つのＡＦ動作モードが設けられている。「シングルＡＦモード」に設定されているときは、上述したように半押しスイッチ２２が操作されることにより焦点検出／調整装置３６による焦点検出動作が行われる。一方、「コンティニュアスＡＦモード」に設定されているときは、メインスイッチ８が記録モード位置に切換え操作されると、焦点検出／調整装置３６による焦点検出動作が常に行われる。
【００１５】
電子スチルカメラ１は、焦点検出／調整装置３６が焦点調節状態の検出を行う領域として、被写界中に５つの領域を備えている。これら５つの焦点検出領域の中から、焦点検出／調整装置３６により焦点検出が行われる領域が以下のように設定される。表示ＬＣＤ３には、前述のスルー画像に重ねて、焦点調節領域を示すマークがオーバレイ表示されている。表示ＬＣＤ３に表示されたスルー画像および焦点調節領域を表すマークを図４に示す。図４において、５つのマーク４Ｖ〜４Ｚが焦点検出領域を表す。焦点検出領域の設定は、半押しスイッチ２２が操作されてから所定時間が経過するまでの間に、ＡＦ領域選択ボタン１９a〜１９d(図２)を操作することにより行う。
【００１６】
半押しスイッチ２２が操作されるとＡＦ領域選択ボタン１９a〜１９dが所定時間有効になり、この間にスイッチ１９ａが操作されると図４において現在設定されている焦点検出領域４Ｗから焦点調節領域４Ｗの上に位置する焦点検出領域４Ｖに変更される。続いてＡＦ領域選択ボタン１９ｂが操作されると、再び焦点検出領域４Ｗに変更される。また、ＡＦ領域選択ボタン１９ｃが操作されると、焦点検出領域４Ｗに対して左に位置する焦点検出領域４Ｙに変更される。同様にして、ＡＦ領域選択ボタン１９ｄを操作することにより、設定されている焦点検出領域４Ｗに対して右に位置する焦点検出領域４Ｚに変更することができる。選択された焦点検出領域は、たとえば図４における領域４Ｙのように、他の領域のマークに比べて強調して表示される。撮影者が主要被写体上にあるマーク４Ｖ〜４Ｚのいずれかを選択することにより、選択されたマークに対応する撮影画面内の焦点検出領域において上述した焦点位置の調節状態が検出される。
【００１７】
ズーム操作スイッチ１６が操作されると、ＣＰＵ２１からの指令によりズームレンズ駆動装置３７が撮影ズームレンズ２を駆動し、焦点距離を変化させる。ズーム操作スイッチ１６はシーソー形のスイッチからなり、望遠側(Ｔ)と広角側(Ｗ)のうち、いずれか押されている側に焦点距離が移動される。測光装置３８は、被写体の輝度を測定するもので、レリーズボタン９に連動する半押しスイッチ２２による半押し信号が、ＣＰＵ２１に入力されたときに測光を行う。
【００１８】
半押しスイッチ２２のオン操作に引続いてレリーズスイッチ２３がオン操作されると、測光装置３８による測光結果と閃光モードボタン１２によりあらかじめ設定された閃光モードとに応じて閃光装置４が発光し、撮影ズームレンズ２からの被写体光がＣＣＤ２６の受光面上で結像することにより、ＣＣＤ２６には被写体像の明るさに応じた信号電荷が蓄積される。ＣＣＤ２６に蓄積された信号電荷はドライバ２５により吐き出され、ＡＧＣ回路やＣＤＳ回路などを含むアナログ信号処理回路２７に入力される。アナログ信号処理回路２７でアナログ画像信号に対してゲインコントロール、雑音除去等のアナログ処理が施された後、Ａ／Ｄ変換回路２８によってデジタル信号に変換される。
【００１９】
デジタル変換された信号は、前述した画像処理ＣＰＵ２９に導かれ、そこで輪郭補償、ガンマ補正等の画像前処理が行われて一旦バッファメモリ３０に格納される。そして、ＣＰＵ２１とバッファメモリ３０との間で画像データの授受を行い、格納されている画像データからホワイトバランス調整値が求められる。求められたホワイトバランス調整値に基づいて画像処理ＣＰＵ２９でホワイトバランス調整が行われ、ホワイトバランス調整後の画像データが再びバッファメモリ３０へ格納される。
【００２０】
上述したような画像前処理が行なわれた画像データに対してはさらに、画像処理ＣＰＵ２９により、たとえば、ＪＰＥＧ圧縮のための所定のフォーマット処理(画像後処理)が行なわれ、画像処理ＣＰＵ２９により制御される圧縮回路３２によりＪＰＥＧ方式の所定の比率にデータ圧縮を受ける。画像データがデータ圧縮処理を受けると、圧縮後の画像データがバッファメモリ３０内で占有する占有領域が小さくなるので、バッファメモリ３０は新たな画像データを受け入れることが可能になる。
【００２１】
ＪＰＥＧ方式にデータ圧縮を受けた画像データは、ＣＰＵ２１により所定のデータ名を付与されてリアルタイムクロック３５からのタイム情報とともにフラッシュメモリなどの記録媒体(ＰＣカード、ＣＦカードなど)３４に記録される。また、画像データと別に、シャッター速度や絞り値などの撮影時の撮影条件を記録した撮影情報データが記録媒体３４に記録される。記録媒体３４への記録処理が終了すると、一連の撮影処理が終了する。
【００２２】
この他、ＣＰＵ２１には表示パネルドライバー３３が接続され、閃光モードボタン１２による閃光装置４の発光モード設定、撮影距離ボタン１１による距離範囲設定、画質ボタン１３による圧縮率設定の状態などが表示パネル１０に表示される。
【００２３】
−再生モード−
メインスイッチ８を再生モード位置に切換え操作すると、電子スチルカメラ１は電源オンとともに再生モードに切換えられる。記録媒体３４に画像データが既に記録されている場合、記録されている画像データがＣＰＵ２１に読み込まれる。ＣＰＵ２１に読み込まれたデータはバッファメモリ３０に送られたのち、画像処理ＣＰＵ２９に制御される表示画像作成回路３１により表示用の画像データに処理される。そして、再生画像が表示ＬＣＤ３に表示される。再生モード中は、表示ＬＣＤ３に再生画像が表示されるが、撮影ズームレンズ２を通して撮像されている被写体像の画面：スルー画面は表示されない。また、測光装置３８による測光結果に基づく露出調整(ＡＥ)および焦点検出／調整装置３６による焦点調節状態の検出(ＡＦ)も行われない。
【００２４】
−メニュー設定−
メニューボタン１５は、電子スチルカメラ１の撮影条件などを詳細に設定する場合に用いられる。メインスイッチ８が記録モード:RECに切換えられている状態でメニューボタン１５が操作されると、設定変更画面の表示がオンされる。なお、メインスイッチ８が再生モード:PLAYに切換えられた状態でもメニューボタン１５は有効であるが、本実施の形態では記録モードに切換えられている場合の動作に特徴があるので、記録モードに切換えられている状態について説明を行う。
【００２５】
設定変更画面の表示は、表示ＬＣＤ３に表示されているスルー画面に重ねて、設定変更画面がオーバレイ表示される。オーバーレイ表示させるための処理は、ＣＰＵ２１の指令により画像処理ＣＰＵ２９で行われる。設定変更画面がオーバーレイ表示される間は、前述の焦点検出領域を示すマーク４Ｖ〜４Ｚ(図４)はオーバーレイ表示されない。図５、図６は電子スチルカメラ１の表示ＬＣＤ３にオーバレイ表示された設定変更画面を説明する図であり、図５(a)はオーバレイ表示された最初の画面である。
【００２６】
図５(a)において、設定変更画面は、ページ番号表示部５１と、第１の項目表示部５２と、タグ表示部５３と、第１の操作説明表示部５４とを有する。電子スチルカメラ１に対して設定する撮影条件などの設定項目数が２１項目ある場合を例にとれば、設定項目は所定数ごとにグループ化され、各々のグループごとにメニュー形式で表示される。グループ化された所定数の設定項目で１枚のページが構成され、複数のページで設定変更画面が構成される。本実施の形態では、表示ＬＣＤ３の表示解像度および表示ＬＣＤ３に表示したときの視認性を考慮して、表示ＬＣＤ３上の一画面に表示可能な設定項目数を７項目と定め、メニューの１〜７番目の設定項目をページ１に、メニューの８〜１４番目の設定項目をページ２に、メニューの１５番目から２１番目までをページ３に収めることにより、合計２１の設定項目を３ページに分類して管理している。なお、設定項目を新たに追加する場合は、ページ４以降を追加して設定項目を収めればよい。
【００２７】
ページ番号表示部５１にはページ番号が表示される。このうち、カーソルにより選択されているページ番号が、選択されていない他のページ番号に比べて強調して(図中は白く)表示される。図５(a)は設定変更画面に切替えられた最初の画面であるので、ページ１が自動的に選択されている。このとき、タグ表示部５３にはページ１の内容を表す「撮影メニュー１」が表示される。第１の項目表示部５２には、ページ１に含まれる１〜７番目の設定項目が表示される。本実施の形態では、ホワイトバランス調整に関する設定項目が「ＷＢ」、測光方式に関する設定項目が「測光」、連写に関する設定項目が「連写」、手ブレ軽減処理に関する設定項目が「ブレ」、コンバータレンズに関する設定項目が「コンバータ」、階調補正に関する設定項目が「階調」、エッジ強調に関する設定項目が「エッジ」と表示されている。これらの設定項目は、文字の代わりに各設定項目を表すアイコンで表示するようにしてもよい。
【００２８】
第１の操作説明表示部５４には、表示されている設定変更画面において必要な操作スイッチと、その動作の説明が表示されている。図５(a)の例では、設定変更画面の表示をオフするにはメニューボタン１５を操作し、ページ選択を行うには上向きのＡＦ領域選択ボタン１９aおよび下向きのＡＦ領域選択ボタン１９bを操作するという意味である。
【００２９】
ページ番号を選択するカーソルは、上述したＡＦ領域選択ボタン１９a〜１９dを用いて移動させる。表示ＬＣＤ３に設定変更画面が表示されているとき、ＡＦ領域選択ボタン１９a〜１９dはカーソル位置を上下左右に動かすために使用される。たとえば、ページ１が選択されてページ番号表示部５１の「１」が強調表示されている状態で、下向きのＡＦ領域選択ボタン１９bが押されるとカーソルが下に移動してページ２が選択される。ページ２が選択されるとページ番号表示部５１において「２」が強調表示されるとともに、ページ２に含まれる８〜１４番目の設定項目が表示される。同様にしてページ３を選択すると、ページ番号表示部５１において「３」が強調表示されるとともに、ページ３に含まれる１５〜２１番目の設定項目を表示させることができる。
【００３０】
次に、各ページ内に含まれている設定項目の設定操作について説明する。たとえば、図５(a)のようにページ１が選択されている状態で右向きのＡＦ領域選択ボタン１９dが操作されると、第１の項目表示部５２の１番目の選択項目がカーソルで選択される。この状態で再び右向きのＡＦ領域選択ボタン１９dが操作されると、図５(b)に示されるように１番目の設定項目であるホワイトバランス調整が選択される。このとき、第１の項目表示部５２において「ＷＢ」が強調表示されるとともに、タグ表示部５３に「ホワイトバランス」と表示され、さらに第２の操作説明表示部５５が新たに表示される。第２の操作説明表示部５５には、設定項目を設定するためにどのスイッチを操作すればよいかが表示される。図５(b)の例では、右向きのＡＦ領域選択ボタン１９dまたは選択ダイヤル１７(図１)を操作すればよいことを表している。
【００３１】
図５(b)のように、ホワイトバランス調整の設定項目が選択されている状態で右向きのＡＦ領域選択ボタン１９dが操作されると、図６(a)に示される第２の項目表示部５６が新たに表示される。第２の項目表示部５６には、第１の項目表示部５２において選択されている設定項目に関する選択項目が表示される。図６(a)の例ではホワイトバランス調整に関する選択項目が表示され、このうち、カーソルにより選択されている選択項目が選択されていない他の選択項目に比べて強調して(図中は白く)表示される。図６(a)において、撮影者が上向きのＡＦ領域選択ボタン１９aおよび下向きのＡＦ領域選択ボタン１９bを用いて、「オート」、「太陽光」、「電球」、…の中から、たとえば、「電球」を選択すると、上述した画像処理ＣＰＵ２９において、電球による照明光に応じたホワイトバランス調整が行われるようになる。すなわち、カーソルで選択項目が選択されると、直ちに電子スチルカメラ１の内部の設定状態が変化する。
【００３２】
図６(a)に示されるような第２の項目表示部５６が表示されている状態において、右向きのＡＦ領域選択ボタン１９dが操作されると、上述した図５(a)のページ番号を選択する設定変更画面に戻る。この状態で上向きのＡＦ領域選択ボタン１９aおよび下向きのＡＦ領域選択ボタン１９bを操作することにより別のページ番号を選択することができる。また、メニューボタン１５が操作されると、設定変更画面のオーバーレイ表示がオフになる。
【００３３】
前述した「シングルＡＦモード」と「コンティニュアスＡＦモード」の２つのＡＦ動作モードへの切換え設定も、メニューボタン１５による設定変更画面を用いて行われる。ＡＦ領域選択ボタン１９a〜１９dが操作されることにより、たとえば、ページ２に含まれる設定項目の中からＡＦ動作に関する項目が選択される。図６(b)はページ２が選択されている状態を表す図である。ＡＦ領域選択ボタン１９dが操作されて「ＡＦ」が選択されると、上述した第２の項目表示部５６にＡＦ動作に関する選択項目(不図示)が表示される。選択項目には、「コンティニュアスＡＦモード」と、「シングルＡＦモード」とが表示されるので、上向きのＡＦ領域選択ボタン１９aおよび下向きのＡＦ領域選択ボタン１９bを操作して選択項目を選び、右向きのＡＦ領域選択ボタン１９dを操作して決定すればよい。
【００３４】
「シングルＡＦモード」に設定されると、前述したように半押しスイッチ２２が操作されるごとに焦点検出／調整装置３６による焦点検出動作が行われ、「コンティニュアスＡＦモード」に設定されると、メインスイッチ８が記録モード位置に切換え操作されている間は焦点検出／調整装置３６による焦点検出動作が常に行われる。
【００３５】
メニューボタン１５による設定変更画面を用いて行われた設定内容は、再びメニューボタン１５を押して設定変更画面のオーバレイ表示をオフさせなくても直ちに有効になる。したがって、ページ１の設定項目に含まれている前述のホワイトバランス調整の他に、たとえば、画像の明るさを調整する階調補正や、露光時の絞り値を調整する露出補正を設定変更画面上で行うようにすると、表示ＬＣＤ３に表示されているスルー画面が、設定変更画面上で設定された内容に基づいて変化する。この結果、撮影者は、ホワイトバランス調整、階調補正および露出補正が正しく行われているか否かを表示ＬＣＤ３に設定変更画面とともに表示されているスルー画面からリアルタイムに確認しながら設定を変更できる。
【００３６】
メニューボタン１５による設定変更画面がオーバーレイ表示されている状態でレリーズスイッチ２３がオン操作されると、電子スチルカメラ１はその時点においてカーソルで選択されている内容に基づいて撮影を行う。すなわち、第２の項目表示部５６に表示されている選択項目のうちいずれかがカーソルで選択されている状態でレリーズスイッチ２３が操作された場合、右向きのＡＦ領域選択ボタン１９dにより決定されていなくてもカーソルで選択されている内容が撮影処理に反映される。
【００３７】
レリーズスイッチ２３により前述した撮影処理が開始されると、表示ＬＣＤ３にオーバーレイ表示されている設定変更画面の表示が一旦オフされて、代わりに図７に示すような撮影処理中を表すアイコンがオーバーレイ表示される。図７において、右側に表示されているアイコンは撮影処理中を表す処理中アイコン７１、中央に表示されているアイコンはフリーズ画面表示時間を延長するためのキープアイコン７２、左側に表示されているアイコンは撮影した画像データを削除するための削除アイコン７３である。フリーズ画面とは、前述したように撮影前のモニタ画像として逐次更新されるスルー画像と異なり、レリーズスイッチ２３がオンされた後に所定時間表示ＬＣＤ３上に表示される撮影中の画像である。
【００３８】
処理中アイコン７１は、前述した一連の撮影処理が終了するまで表示される。キープアイコン７２は、処理中アイコン７１とともに、フリーズ画面が表示されている所定時間：たとえば３秒間表示される。キープアイコン７２が表示されている間に、キープアイコン７２の表示位置の近くに配設されている閃光モードボタン１２が操作されると、フリーズ画面の表示時間がさらに別の所定時間：たとえば２０秒間延長される。削除アイコン７３は、フリーズ画面が表示されている間表示される。削除アイコン７３が表示されている間に、削除アイコン７３の表示位置の近くに配設されている撮影距離ボタン１１が操作されると、レリーズスイッチ２３の操作により撮影処理が開始されて、フラッシュメモリなどの記録媒体３４に記録された画像データが削除される。
【００３９】
フリーズ画面を表示する所定の表示時間が終了すると、フリーズ画像、処理中アイコン７１、キープアイコン７２および削除アイコン７３の表示をやめる。そして、新たに撮影ズームレンズ２を通して撮像されるスルー画像と、このスルー画像に重ねて、上述したようにレリーズスイッチ２３の操作により一旦オフされていた設定変更画面がオーバーレイ表示される。この場合の設定変更画面は、図５(a)のようにページ１が選択されているメニューボタン１５が最初に操作された場合の画面と異なり、前回設定変更画面表示中にレリーズスイッチ２３が操作された時点の画面が再現される。
【００４０】
−記録データ−
図８は、上述したように動作が行われる電子スチルカメラ１において、撮影して画像処理された画像データが記録媒体３４に記録されるときに付与されるデータの名称を説明する図である。図８はディレクトリ・ツリーと呼ばれるもので、たとえば、パソコン(ＰＣ)で管理されるデータファイルの構造を示すものである。電子カメラで記録された画像データの記録形式は、パソコンで画像データを処理したり、パソコンを介して記録画像をプリンタに出力できるように、パソコンで管理されるデータの形式に合致していることが望ましい。そこで、電子カメラで記録された画像データの名称は、図８に示すルートディレクトリ１００の下に「ＤＣＩＭ」というディレクトリ１１０を付与することにより区別することがＤＣＦ(Design rule for Camera File system)により定められている。
【００４１】
上述したディレクトリ１１０の下に設けられる画像データ名１２０の付与方法について説明する。図８に示すように画像データ名１２０は、複数設けることが可能なサブディレクトリ１３０と、各々のサブディレクトリ１３０の下に設けられるファイル名１４０とで構成される。これらの構造は、ＤＯＳと呼ばれるパソコンなどの記憶装置を扱うシステムで使用されている構造と一致している。なお、パソコンの基本プログラム(ＯＳ)には、ディレクトリをフォルダと呼ぶものもある。
【００４２】
図９はサブディレクトリ１３０を説明する図である。サブディレクトリ１３０は、たとえば、数値部１３１と名称部１３２とで構成される。数値部１３１は整数が与えられる。一方、名称部１３２は５文字以内のアルファベットや数字、記号で作られる。名称部１３２は、サブディレクトリ１３０ごとに変えてもよいし、同じものでもよい。上述したように数値部１３１がサブディレクトリ１３０ごとに異なるので、名称部１３２が同じ名称であっても別のサブディレクトリ１３０であることが識別される。
【００４３】
図１０はファイル名１４０を説明する図である。ファイル名１４０はヘッダ部１４１と数値部１４２、および拡張子１４３とで構成される。ヘッダ部１４１には、４桁のアルファベット文字が与えられる。たとえば、「ＤＳＣＮ」とすることにより、ファイル名１４０によるデータが電子スチルカメラ１で記録された画像データであることを示している。数値部１４２には４桁の整数が与えられる。拡張子１４３「ＪＰＧ」は、ファイル名１４０による画像データが、ＪＰＥＧ形式により圧縮された画像データであることを示すものである。以上説明したように、電子カメラで記録した画像データに対して、サブディレクトリ１３０とファイル名１４０とからなる名称を与えることにより、パソコンで処理できるような形態にされている。
【００４４】
ファイル名１４０には、ヘッダ部１４１、数値部１４２および拡張子１４３「ＪＰＧ」で構成されるものとは異なるファイル名が１つ与えられる。このファイル名は、たとえば、ヘッダ部「ＩＮＦＯ」と、拡張子「ＴＸＴ」で構成される。この「ＩＮＦＯ.ＴＸＴ」ファイルは、同一のサブディレクトリ１３０内に記録されているファイル名１４０による複数の画像データの中に含まれている撮影情報、すなわち、その画像データがそれぞれ撮影されたときのシャッター速度、絞り値、などの撮影条件と、電子カメラが設定されていた設定状態などを抜き出して、１つの撮影情報データとしてまとめて記録されるファイルである。拡張子「ＴＸＴ」は、「ＩＮＦＯ.ＴＸＴ」ファイルなる撮影情報データが、テキスト形式で記録されたデータであることを示すものである。「ＩＮＦＯ.ＴＸＴ」ファイルは、各サブディレクトリ１３０ごとに１つずつ設けられる。
【００４５】
図１１は、「ＩＮＦＯ.ＴＸＴ」ファイルに記録されている撮影情報データの例を表した図である。図１１において、「ＤＳＣＮ３０９１．ＪＰＧ」というファイル名で記録されている画像データのファイル名および撮影情報と、「ＤＳＣＮ３０９２．ＪＰＧ」というファイル名で記録されている画像データのファイル名および撮影情報とが記載されている。このように撮影情報データのみをまとめて１つのファイルに記録しておくと、「ＩＮＦＯ.ＴＸＴ」ファイルを１つ読み出すだけで、複数の画像データを１つずつ読み出すことなしに、画像データがどのような撮影条件で撮影された画像データであるかを知ることができる。さらに、撮影情報のみがわかれば十分であるときは、ＪＰＥＧ形式で記録された画像データを読み出さなくてもよいので、処理時間を短縮することが可能になる。とくに、メガピクセルと呼ばれるように１つの画像データを構成する画素数が大きな場合には、１つの画像データを読み出すのに時間を要するので、「ＩＮＦＯ.ＴＸＴ」ファイルを１つ設けてこのファイルを読み出すことによって大幅な処理時間の短縮ができる。
【００４６】
上述したような記録データ名の付与は、前述したメニューボタン１５による設定変更画面を用いて行われる。設定変更画面が表示されている状態で、ＡＦ領域選択ボタン１９a〜１９dが操作されることにより、たとえば、ページ３に含まれる設定項目の中から不図示のフォルダ設定に関する項目が選択される。ＡＦ領域選択ボタン１９dが操作されて不図示の「フォルダ設定」が選択されると、第２の項目表示部５６にフォルダ設定に関する選択項目(不図示)が表示される。選択項目には、「フォルダ選択」、「フォルダ作成」、「フォルダ名称変更」、「フォルダ削除」…などが表示されるので、上向きのＡＦ領域選択ボタン１９aおよび下向きのＡＦ領域選択ボタン１９bを操作して選択項目を選んで、そのときに表示ＬＣＤに表示される指示に従って操作する。
【００４７】
たとえば、フォルダ名(サブディレクトリ名)を作成する場合、選択ダイヤル１７により５文字以内のアルファベットや数字、記号を選択し、右向きのＡＦ領域選択ボタン１９dを押すことにより、そのときのフォルダ名が作成される。電子スチルカメラ１においてフォルダとは、撮影した画像データの数量が多いときに画像データを関連したデータごとに分類できるように設けられるグループである。
【００４８】
設定変更画面を用いてフォルダ名、すなわち、上述したサブディレクトリ１３０が設定されないときは、電子スチルカメラ１が、たとえば「１００ＮＩＫＯＮ」をサブディレクトリ１３０として設定する。これは、サブディレクトリ１３０のデフォルト値であり、数値部１３１には最初に設定されるサブディレクトリを示す「１００」が設定され、名称部１３２には所定の記号が設定される。
【００４９】
続いて、上述したように作成されたサブディレクトリ１３０ごとに付与されるファイル名１４０について説明する。ファイル名１４０のうちヘッダ部１４１は、たとえば、画像データを記録する電子カメラに関する情報として使用される。この実施の形態では電子スチルカメラ１を使用するので、「ＤＳＣＮ」が設定される。数値部１４２は、作成されたサブディレクトリ１３０ごとに「０００１」から順に連続して付与される番号である。たとえば、新たに作成されたサブディレクトリ１３０に最初の画像データを記録するように電子スチルカメラ１が設定されているときは、数値部１４２に「０００１」が設定され、画像データが記録される。画像データが記録されたとき、サブディレクトリ１３０に対応して記録したファイル名１４０の数値部１４２の最大値とが電子スチルカメラ１内にバックアップされる。以降、同じサブディレクトリ１３０の中に画像データが記録されるときは、記録されるコマ数に応じてバックアップされた数値部１４２の最大値が＋１ずつ進められ、画像データが記録される。数値部１４２は、一つのサブディレクトリ１３０の下に最大「９９９９」まで設定可能であるが、サブディレクトリ１３０は、数値部１４２の値が「９９９９」に達しなくても新たに設定することができる。この場合、新たに設けられたサブディレクトリ１３０には、数値部１４２が「０００１」から連続した番号で与えられる。
【００５０】
拡張子１４３は画像データの圧縮形式に基づいて付与される。この実施の形態による電子スチルカメラ１では、ＪＰＥＧ形式による圧縮データとして記録されるので、拡張子１４３として「ＪＰＧ」が付与される。
【００５１】
撮影情報データ「ＩＮＦＯ.ＴＸＴ」ファイルは、新たな画像データがサブディレクトリ１３０内に記録されるごとに、新たな画像データの撮影情報を既存の撮影情報データ「ＩＮＦＯ.ＴＸＴ」に追加して更新、すなわち上書きする。サブディレクトリ１３０に最初の画像データが記録された場合は、既存の撮影情報データ「ＩＮＦＯ.ＴＸＴ」が存在しないので、新たに作成して記録する。なお、サブディレクトリ１３０から画像データが削除されたときは、削除された画像データに対応する撮影情報を既存の撮影情報データ「ＩＮＦＯ.ＴＸＴ」から削除して更新する。
【００５２】
本実施の形態による電子スチルカメラ１の撮影処理を、図１２〜図１５のフローチャートを参照して説明する。図１２のステップＳ２０１において、測光装置３８（図３）の測光結果に基づく露出調整（ＡＥ）が行われ、続いてステップＳ２０２で焦点検出／調整装置３６による焦点検出（ＡＦ）が行われる。ＡＦ動作が終了すると、ステップＳ２０３で画像前処理を行う。
【００５３】
図１３は、画像前処理２５０の処理を表したフローチャートである。ステップＳ２５１でＣＣＤ２６（図３）に被写体像の明るさに応じた電荷が蓄積され、ステップＳ２５２で蓄積された電荷が順に吐き出されてアナログ信号処理回路２７へ入力される。ステップＳ２５３において、アナログ信号処理回路２７でアナログ信号処理が行われ、続くステップＳ２５４でＡ／Ｄ変換回路２８でアナログ信号からデジタル信号に変換される。デジタル化された画像信号は、ステップＳ２５５において画像処理ＣＰＵ２９で輪郭補償やガンマ補正が行われた後に一旦バッファメモリ３０に格納され、その後、ホワイトバランス調整などの画像処理が行われて画像前処理２５０が終了する。
【００５４】
図１２のステップＳ２０３で上述した画像前処理が終了されると、ステップＳ２０４において、画像処理ＣＰＵ２９に制御される表示画像作成回路３１により画像前処理後のデータが表示用の画像データに処理され、表示ＬＣＤ３にスルー画像が表示される。ステップＳ２０５で半押しスイッチ２２が操作されているか否かが判定され、操作されていると判定されたとき(ステップＳ２０５のＹ)はステップＳ２０６へ進み撮影用のＡＥ動作が行われ、続くステップＳ２０７において撮影用のＡＦ動作が行われる一方、ステップＳ２０５で半押し操作されていないと判定されたとき(ステップＳ２０５のＮ)は、再びステップＳ２０１へ戻る。
【００５５】
ステップＳ２０７のＡＦ動作が終了すると、上記のＡＥとＡＦ両動作の結果がＣＰＵ２１に保持され、ステップＳ２０８で全押しスイッチ２３が操作されているか否かがチェックされる。全押しスイッチ２３が操作されていると判定されたとき(ステップＳ２０８のＹ)は、ステップＳ２１０でＡＦ領域表示マーク４Ｖ〜４Ｚ(図４)の表示がオフされるとともに、処理中アイコン７１(図７)の表示がオンされる。ステップＳ２１１において、画像前処理を行う。この画像前処理はステップＳ２０３で行われる前述の画像前処理と同じ処理である。ステップＳ２１１の画像前処理が終了すると、画像前処理が行われた画像データが圧縮回路３２（図３）に送られ、ＪＰＥＧ方式で所定の比率にデータ圧縮する画像後処理が施される（ステップＳ２１２）。ステップＳ２１３で表示ＬＣＤ３にフリーズ画面が表示されると、続くステップＳ２１４において、記録媒体３４に対する記録処理が行われる。
【００５６】
図１４は、記録処理４００を表したフローチャートである。ステップＳ４０１において、記録媒体３４内の所定のサブディレクトリ１３０に圧縮された画像データがＣＰＵ２１により所定の画像データ名を付与されて記録される。ステップＳ４０２において、画像データを記録したサブディレクトリ１３０に撮影情報データのファイル「ＩＮＦＯ.ＴＸＴ」が存在するか否かが判定される。否定判定される(ステップＳ４０２のＮ)とステップＳ４０３へ進み、画像データを記録したサブディレクトリ１３０内に撮影情報データのファイル「ＩＮＦＯ.ＴＸＴ」を作成する。ステップＳ４０２において肯定判定される(ステップＳ４０２のＹ)とステップＳ４０４へ進む。
【００５７】
ステップＳ４０４において、撮影情報データのファイル「ＩＮＦＯ.ＴＸＴ」に対して、ステップＳ４０１において記録された画像データのファイル名とこの画像データが撮影されたときの撮影情報とを追加して上書き記録することにより、図１４の処理が終了する。以上の記録処理が行われる時間が、フリーズ画面の所定の表示時間である。
【００５８】
図１２において、ステップＳ２１４の記録媒体３４への記録処理が終了すると、ステップＳ２１５において処理中アイコン７１の表示がオフされる。ステップＳ２１６において、フリーズ画面表示の延長を行うか否かが判定され、延長すると判定される(ステップＳ２１６のＹ)とステップＳ２１７でフリーズ画面表示延長のためのタイムアップ判定が行われる。ステップＳ２１６で延長しないと判定される(ステップＳ２１６のＮ)とステップＳ２１８へ進む。
【００５９】
ステップＳ２１７でタイムアップ判定される(ステップＳ２１７のＹ)とステップＳ２１８へ進み、タイムアップ判定されないとき(ステップＳ２１７のＮ)は、タイムアップされるのを待つ。ステップＳ２１８において、記録媒体３４に記録した画像データを消去するか否かが判定される。消去すると判定されたとき(ステップＳ２１８のＹ)はステップＳ２１９へ進み、消去処理が行われる。一方、消去しないと判定されたとき(ステップＳ２１８のＮ)は、ステップＳ２２０へ進む。
【００６０】
図１５は、消去処理４５０を表したフローチャートである。ステップＳ４５１において、前述のステップＳ２１４で記録された画像データが消去される。続くステップＳ４５２において、撮影情報データのファイル「ＩＮＦＯ.ＴＸＴ」に対して、ステップＳ４５１において消去された画像データのファイル名と、この画像データが撮影されたときの撮影情報とを削除して上書き記録することにより、図１５の処理が終了する。
【００６１】
図１２のステップＳ２２０において、後述するメニューフラグがセットされているか否かが判定される。セットされていないと判定されたとき(ステップＳ２２０のＮ)は、ＡＦ領域表示マーク４Ｖ〜４Ｚ(図４)の表示をオンして図１２の処理を終了する。ステップＳ２２０においてメニューフラグがセットされていると判定されたとき(ステップＳ２２０のＹ)は、次に説明するメニュー処理へジャンプする。
【００６２】
上述した、ステップＳ２０８で全押しスイッチ２３が操作されていないと判定されたとき(ステップＳ２０８のＮ)は、ステップＳ２０９でタイムアップしているか否かがチェックされる。ステップＳ２０９でタイムアップしていないと判定されたときは、ＡＥとＡＦ両動作の結果をＣＰＵ２１に保持してステップＳ２０８へ戻り、全押しスイッチ２３が操作されるのを待つ。また、ステップＳ２０９でタイムアップしていると判定されたとき(ステップＳ２０９のＹ)は、図１２の撮影処理を終了する。
【００６３】
本実施の形態による電子スチルカメラ１のメニュー処理を、図１６のフローチャートを参照して説明する。メニューボタン１５が操作されると、図１６のメニュー処理が行われる。ステップＳ３０１において、ＣＰＵ２１にメニュー処理実行中を示すメニューフラグがセットされ、ステップＳ３０２でＡＦ領域表示マーク４Ｖ〜４Ｚ(図４)の表示がオフされる。ステップＳ３０３において、設定変更画面表示がスルー画面に重ねてオーバレイ表示される。ステップＳ３０４において、上述した各設定項目に対する設定処理が行われる。ステップＳ３０５において、半押しスイッチ２２がオン操作されたか否かが判定され、否定判定される(ステップＳ３０５のＮ)とステップＳ３０６へ進み、肯定判定される(ステップＳ３０５のＹ)とステップＳ３１０へ進む。
【００６４】
ステップＳ３０６において、メニューボタン１５によりメニュー処理のオフ操作が行われたか否かが判定される。オフ操作されたと判定される(ステップＳ３０６のＹ)とステップＳ３０７へ進み、設定変更画面のオーバレイ表示がオフされる。一方、ステップＳ３０６においてオフ操作されたと判定されないとき(ステップＳ３０６のＮ)は、ステップＳ３０４へ戻って設定処理が繰り返される。ステップＳ３０８において、ＡＦ領域表示マーク４Ｖ〜４Ｚ(図４)の表示がオンされ、ステップＳ３０９においてメニューフラグがリセットされた後、図１６の処理が終了する。
【００６５】
ステップＳ３１０では、設定変更画面の状態、すなわち、表示中のページ番号およびカーソルで選択されている設定項目などの情報がＣＰＵ２１内のメモリに記憶される。続くステップＳ３１１において、設定変更画面のオーバーレイ表示がオフされた後、図１２の撮影処理におけるステップＳ２０６へジャンプする。
【００６６】
図１２のステップＳ２２０において肯定判定された場合(ステップＳ２２０のＹ)に、図１６のステップＳ３１２に続く処理が行われる。ステップＳ３１２において、前述のステップＳ３１０で記憶された設定変更画面の状態が読み出される。ステップＳ３１３において、読み出された設定変更画面の情報に基づいて設定変更画面のオーバーレイ表示がオンされた後、ステップＳ３０４の設定処理が行われる。
【００６７】
以上説明したように本実施の形態によれば、以下の作用効果がある。
（１）同一のサブディレクトリ１３０(フォルダ)内に記録されている全ての画像データのファイル名および撮影情報について、１つにまとめて「ＩＮＦＯ.ＴＸＴ」ファイルとして同一のサブディレクトリ１３０に記録するようにした。したがって、１つのテキスト形式のファイルを読み出すだけで、複数の画像データを１つずつ読み出すことなしに、同一のサブディレクトリ１３０内に記録されている画像データがどのような撮影条件で撮影された画像データであるかを知ることができる。この結果、画像データの管理が容易になる上に、撮影情報のみを調べたいときにはＪＰＥＧ形式で記録された画像データを読み出さなくてもよいから、調べる時間を短縮することが可能になる。とくに、メガピクセルと呼ばれるように１つの画像データを構成する画素数が大きな場合には、１つの画像データを読み出すのに時間がかかるので、大幅に処理時間を短縮することができる。
（２）「ＩＮＦＯ.ＴＸＴ」ファイルは、画像データが記録されるごとに更新されるようにしたので、記録されている画像データと、「ＩＮＦＯ.ＴＸＴ」ファイル内の撮影情報データとが常に一致するようになる。
【００６８】
以上の説明では、電子スチルカメラ１で１コマずつ撮影され、そのたびに記録媒体３４に画像データおよび撮影情報データが記録されるようにした。電子スチルカメラ１が連写機能を備え、複数コマの撮影を連続して行う場合にも本発明を適用することができる。たとえば、バッファメモリ３０内に複数コマの画像データを格納しておき、所定コマ数ごとに記録媒体３４に対して画像データが記録される場合には、記録媒体３４に所定コマ数の画像データが記録されるごとに、撮影情報データ「ＩＮＦＯ.ＴＸＴ」ファイルの内容を更新するようにすればよい。
【００６９】
特許請求の範囲における各構成要素と、発明の実施の形態における各構成要素との対応について説明すると、撮影ズームレンズ２が撮影レンズに、ＣＣＤ２６が撮像装置に、ＣＰＵ２１が記録回路および制御手段に、撮影情報データが管理データに、それぞれ対応する。
【００７０】
【発明の効果】
以上詳細に説明したように本発明によれば、次のような効果を奏する。
請求項１〜４に記載の発明では、電子カメラにより記録媒体の所定のディレクトリに記録されている画像データのみの撮像条件に関する情報を、画像データ単位で確認可能な形式のファイルであって、画像ファイルとは異なる１つの管理データファイルとして、画像データが記録媒体に記録されるごとに画像データが記録されているディレクトリと同一の所定のディレクトリに記録媒体に記録するようにした。したがって、たとえば、電子カメラの電源がオフにされるタイミングで管理データが記録媒体に記録される場合と異なり、記録媒体が電子カメラから取り外しが可能で電子カメラから取り外される場合でも、同一のディレクトリに記録されている画像データと管理データの情報が常に一致するようになる。この結果、画像データの管理が容易になる。
【図面の簡単な説明】
【図１】一実施の形態による電子スチルカメラの収納時、および携帯時の外観を示す図であり、(a)が上から見た図、(b)が後ろから見た図である。
【図２】図２は図１のカメラの通常撮影時の外観を示す図であり、(a)が前から見た図、(b)が上から見た図、(c)が後ろから見た図である。
【図３】一実施の形態による電子スチルカメラの回路ブロックを示す図である。
【図４】スルー画像および焦点調節領域を表すマークを説明する図である。
【図５】  (a)ページ１が選択されている状態を表す図、(b)ホワイトバランス調整に関する項目が選択されている状態を表す図である。
【図６】  (a)第２の項目表示部を説明する図、(b)ページ２が選択されている状態を表す図である。
【図７】撮影処理中アイコンを説明する図である。
【図８】画像データが記録媒体に記録されるときに付与されるデータ名称を説明する図である。
【図９】サブディレクトリ名を説明する図である。
【図１０】ファイル名を説明する図である。
【図１１】ＩＮＦＯ.ＴＸＴファイルに記録されている撮影情報データの例を表した図である。
【図１２】撮影処理を説明するフローチャートである。
【図１３】画像前処理を説明するフローチャートである。
【図１４】記録処理を説明するフローチャートである。
【図１５】消去処理を説明するフローチャートである。
【図１６】メニュー処理を説明するフローチャートである。
【符号の説明】
１…電子スチルカメラ、            ２…撮影ズームレンズ、
３…表示ＬＣＤ、                  ４…閃光装置、
４Ｖ〜４Ｚ…ＡＦ領域マーク、        ８…メインスイッチ、
９…レリーズボタン、            １１…撮影距離ボタン、
１２…閃光モードボタン、          １５…メニューボタン、
１６…ズーム操作スイッチ、        １７…選択ダイヤル、
１９a〜１９d…ＡＦ領域選択ボタン、２１…ＣＰＵ、
２２…半押しスイッチ、            ２３…全押しスイッチ、
２６…ＣＣＤ、                    ２９…画像処理ＣＰＵ、
３１…表示画像作成回路、          ３２…圧縮回路、
３４…記録媒体、                  ３６…焦点検出／調整装置、
３７…ズームレンズ駆動装置、      ３８…測光装置、
５１…ページ番号表示部、          ５２…第１の項目表示部、
５３…タグ表示部、                ５４…第１の操作説明表示部、
５５…第２の操作説明表示部、      ５６…第２の項目表示部、
７１…処理中アイコン、            ７２…キープアイコン、
７３…削除アイコン
【図１】
0004352554.tif 000002
【図２】
0004352554.tif 000003
【図３】
0004352554.tif 000004
【図４】
0004352554.tif 000005
【図５】
0004352554.tif 000006
【図６】
0004352554.tif 000007
【図７】
0004352554.tif 000008
【図８】
0004352554.tif 000009
【図９】
0004352554.tif 000010
【図１０】
0004352554.tif 000011
【図１１】
0004352554.tif 000012
【図１２】
0004352554.tif 000013
【図１３】
0004352554.tif 000014
【図１４】
0004352554.tif 000015
【図１５】
0004352554.tif 000016
【図１６】
0004352554.tif 000017